(57)【要約】【課題】プラスチックマネー効能を具えて、携帯便利であり、且つ、その無線伝送回路機構を採用して伝送した取引照会が、大幅に取引時間を短縮する。【解決手段】内部にメモリーカード及び使用者識別カードを有する携帯電話と、電信基地端、取引単位端の間に設置された無線伝送回路機構とからなり、携帯電話所持が取引単位端で取引をする時、取引単位端が取引情報を電信基地端に伝送し、電信基地端で取引内容を確認した後、確認情報を取引単位端に伝送し、次いで、取引単位端が確認消息を受け取った後に、産品を送り出し、その後、完成情報を電信基地端に伝送する。【選択図】  図４
2004355485.tif 000002
【特許請求の範囲】
【請求項１】
内部にメモリーカード及び使用者識別カードを有する携帯電話と、電信基地端、取引単位端の間に設置された無線伝送回路機構とからなり、携帯電話所持が取引単位端で取引をする時、取引単位端が取引情報を電信基地端に伝送し、電信基地端で取引内容を確認した後、確認情報を取引単位端に伝送し、次いで、取引単位端が確認消息を受け取った後に、産品を送り出し、その後、完成情報を電信基地端に伝送することを特徴とする携帯電話伝送電子取引システム。
【請求項２】
前記メモリーカードは、メモリーカード界面と、メモリーカード．コントローラー、クイックフラッシュコントローラーユニット、無線ラジオ周波数コントローラーユニット、無線ラジオ周波数界面により構成した無線コントロール回路を有するコントロール．チップと、メモリーチップとアンテナを有するクイックフラッシュメモリーカードである請求項１記載の携帯電話伝送電子取引システム。
【請求項３】
前記電信基地端が、費用給付端と無線伝送回路機構を具えており、取引単位端が電信基地端に完成情報を送り出した後、電信基地端より費用給付端に情報を発信して取引金額を支払う請求項１記載の携帯電話伝送電子取引システム。
【請求項４】
前記携帯電話の無線伝送回路機構を携帯電話電池内に設置する請求項１記載の携帯電話伝送電子取引システム。
【請求項５】
前記携帯電話の無線伝送回路機構が短距離無線伝送回路機構である請求項１記載の携帯電話伝送電子取引システム。
【請求項６】
前記使用者識別カードが、クイックフラッシュメモリーカードで、該クイックフラッシュメモリーカードのコントロールーチップの上に無線コントロール線路及びアンテナが設けられている請求項１記載の携帯電話伝送電子取引システム。
【請求項７】
前記電信基地端が費用給付端と無線伝送回路機構を具えており、取引単位端が完成情報を電信基地端に送った後、再び電信基地より情報を費用給付端に発信して通知し、取引金額を精算させる請求項１記載の携帯電話伝送電子取引システム。
【請求項８】
前記電信基地端より情報を発信して、費用給付端に通知し、取引金額を精算した後、再び費用給付端より電信基地端に精算情報を伝送するとともに、電信基地より携帯電話持有者及び取引単位端に精算情報を発送する請求項１記載の携帯電話伝送電子取引システム。
【請求項９】
前記電信基地端が取引内容を確認出来ない時は、電信基地端より携帯電話及び取引単位端に未完成情報を伝送して取引を中断する請求項１記載の携帯電話伝送電子取引システム。
【発明の詳細な説明】
【０００１】
【発明の属する技術分野】
本発明は、無線伝送メモリーカード及び該無線伝送メモリーカードを使用して構成した携帯電話電子取引システムを提供するもので、殊に携帯電話、メモリーカード、使用者識別カード、電信基地端構成の取引システムである。
【０００２】
【従来の技術】
時代の進歩に随って、プラスチックマネー市場は、だんだんと成熟し、且つ、全世界の認可を受ける様になった。現在、最も通用しているプラスチックマネーであるクレジットカードで言えば、カード所有権者がＡＴＭ（現金自動自動預入れ支払機）カードを使用する消費行為は、伝統取引で現金を携帯する必要が有る為に派生する困難や煩わしさを解決出来る以外に、カード所有権に対して言えば、更に個人信用の一つの重要な表徴でもある。
【０００３】
一方、科学技術の進歩に伴って、プラスチックマネーの取引機能制度に何かと破綻が発生している。その中で、クレジットカードの偽造及び盗用が最も重要である。支払いの際には、必ずクレジットカードを店のサービス人員に渡さなければならないので、防衛の手抜かりを生じる。一瞬間だけの合間にクレジットカードは即時複製されることが出来、カード所有権者及び金融機構に莫大な損失を引き起こすこととなる。
【０００４】
又、クレジットカード．システムの投資は膨大で、店には必ずカードリーダーを配備しなければならず。且つ、人手で操作する、非接続式のカードリーダーに対して言えば、店は必ずカード発行元に電話して、授権コードを取得しなければならず、大量の人力と時間を浪費する。
【０００５】
従って、接続式のカードリーダについて言えば、往々にして、回線問題で重複して、カードの読み取りをしなければならず、同様に待機時間を浪費することとなる。且つ、容易に重複記帳することが発生する。又、クレジットカードシステムの実施範囲には限度が有り、例えば、自動販売機は随所に見られるけれども、カード読取りシステムの設備費及び人件費が掛かるのでクレジット．カードを使用することは出来ない。
【０００６】
【発明が解決しようとする課題】
従来からの周知技術の欠点に鑑み、本発明の主要目的は、プラスチックマネー効能を具えて、携帯便利であり、且つ、その無線伝送回路機構を採用して伝送した取引照会が、大幅に取引時間を短縮できる携帯電話伝送電子取引システムを提供するものである。
【０００７】
【課題を解決するための手段】
上記課題を解決するため、本発明は、内部にメモリーカード及び使用者識別カードを有する携帯電話と、電信基地端、取引単位端の間に設置された無線伝送回路機構とからなり、携帯電話所持が取引単位端で取引をする時、取引単位端が取引情報を電信基地端に伝送し、電信基地端で取引内容を確認した後、確認情報を取引単位端に伝送し、次いで、取引単位端が確認消息を受け取った後に、産品を送り出し、その後、完成情報を電信基地端に伝送することを特徴とする。
【０００８】
【発明の実施の形態】
以下に、本発明の実施の形態を、図面を参照して詳細に説明する。
本実施の形態に使用する携帯電話１０は図１乃至図３に示すように、内部にメモリーカード２０及び使用者識別カード３０が配置されている。そして、前記メモリーカード２０は、一つのメモリーカードインターフェイス２１、コントロールチップ２２及び一つのメモリーチップ２３を有しているクイック．フラッシュメモリーカードからなり、前記コントロール．チップ２２は、一つのメモリーカード．コントロール（Ｍｅｍｏｒｙ  Ｃａｒｄ  Ｃｏｎｔｒｏｌｌｅｒ）２２１、一つのクイック．フラッシュ．コントローラー．ユニット）、（Ｆｌａｓｈ  Ｃｏｎｔｒｏｌｌｅｒ  Ｕｎｉｔ）２２２及び無線ラジオ周波数コントローラー．ユニット（ＲＦ  Ｃｏｎｔｒｏｌｌｅｒ  Ｕｎｉｔ）、無線ラジオ周波数インターフェイス（ＲＦ  Ｉｎｔｅｒｆａｃｅ）２４２より構成した無線コントロール回路２４を有し、且つ、メモリーカード２０の周辺にアンテナ２５が設けられている。更に、携帯電話電池内に入れておけば、前述無線コントロール回路２４と相互に照会を伝送可能な無線コントロール回路となり（図示せず）、携帯電話の使用者識別カード３０と共に一つの費用給付システムを構成する。
【０００９】
図４は、本発明の好ましい実施の形態についての取引ステップであり、下記各項を含む。
▲１▼携帯電話所有者は、取引単位端（例えば「販売店側」、以下同じ）で取引を進行（１）、且つ取引単位端が商品名称、数量及び金額を確認した後（２）取引単位端（販売店側）は、取引情報を電信基地端（例えば「情報センター側」、以下同じ）に伝送する（３）。
▲２▼電信基地端より取引内容を確認した後、確認情報を取引単位端に伝送する。電信基地端が取引内容を確認出来なかった時は、電信基地端より携帯電話及び取引単位端に未完成情報を伝送して取引を中断し、且つ携帯電話及び取引単位端の取引資料を消去する（９）該取引単位端は中止取引表をプリントすることができる。
▲３▼取引単位端が確認情報を受け取った後に産品を送り出す（５）。該取引単位側は、産品を送り出した後に、出荷証書をプリントすることが出来る。
▲４▼取引単位端が産品を送り出した後に、完成情報を電信基地端に伝送する（６）。
▲５▼電信基地端より情報を費用給付端（「支払機関側」、以下同じ）に発信して取引金額を通知し、支払いさせることが出来る（７）。該費用給付端は銀行、又は費用給付端を同じく電信基地端内に設けることが出来て、直接電信基地端で費用の精算をさせることもできる。更に、電信基地端より支払い情報を携帯電話持有者及び取引単位端に伝送する。該取引単位端は支払い情報を受け取った後、領収書をプリントすることができる。
【００１０】
以上説明した実施例および図式は、あくまでも便宜上の一手法として採用するものである。すべて本発明の構造、装置、特徴などに類似するものは、本発明の特許請求の範囲である。また、実施の形態のみに限定するものでは決してなく、他の一切の利用範囲もその中に含めているものである。
【００１１】
【発明の効果】
上述を総合して、本発明は、携帯電話、使用者識別カード、電信基地端より構成された取引システムで、その使用者識別カードには、プラスチックマネー効能が有り、携帯便利である。且つ、その無線伝送回路機構を採用して伝送した取引消息が、取引時間を大幅に短縮することが出来る。
【図面の簡単な説明】
【図１】
本発明の実施の形態に用いる携帯電話の一具体例を示す説明図。
【図２】図１に示した携帯電話に配置されるメモリーカードの回路ブロック説明図。
【図３】図２に示したメモリーカードの好ましい実施例を示す説明図。
【図４】本発明の実施の形態におけるステップを示すチャート図。
【符号の説明】
１０  携帯電話
２０  無線伝送メモリーカード
２１  メモリーカード界面
２２  コントロールチップ
２２１  メモリーカードコントローラー
２２２  クイック．フラッシュコントロールユニット
２３  メモリーチップ
２４  無線コントロール線路
２４１  無線ラジオ周波数コントローラーユニット
２４２  無線ラジオ周波数界面
２５  アンテナ
３０  使用者識別カード
【図１】
2004355485.tif 000003
【図２】
2004355485.tif 000004
【図３】
2004355485.tif 000005
【図４】
2004355485.tif 000006